(57)【要約】【課題】  保管及び移送に便利であって、現場での組立が極めて容易な収納庫を提供する。【解決手段】    板状の天板110、底板210、背板140、右側板150、左側板160を有し、前記右側板150及び左側板160が各々ヒンジ180により前記背板140の右端縁、左端縁に取り付けられ、前記底板210は、前記右側板150と前記左側板160との間に挟まれて前記右側板150と前記左側板160に対してフック部247により固定される組立式収納庫100とする。【選択図】    図３
2016007465.tif 000002
【特許請求の範囲】
【請求項１】
板状の天板、底板、背板、右側板、左側板を有し、
前記右側板及び左側板が各々ヒンジにより前記背板の右端縁、左端縁に取り付けられ、
前記底板は、前記右側板と前記左側板との間に挟まれて前記右側板と前記左側板に対してフック部により固定されることを特徴とする組立式収納庫。
【請求項２】
前記ヒンジにより前記背板に結合された前記左右の側板は、前記背板に対して回動する際の可動中心が、前記左右の側板の後端内側隅角であって前記背板の前面における側方端部近傍位置又はその直近位置か、前記左右の側板の後端近傍内側面であって前記背板の側方端部前方隅角位置又はその直近位置であることを特徴とする請求項１に記載した組立式収納庫。
【請求項３】
前記フック部は、前記底板の左右両端面において当該底板の前端近傍から外方に突出し、当該底板を前記背板と前記右側板及び前記左側板の下端位置に降下させることにより、フック部が前記左右の側板と係合することを特徴とする請求項１又は請求項２に記載した組立式収納庫。
【請求項４】
前記背板及び前記左右の側板は、夫々の上端面から僅かに突出する係合部を有し、天板は左右の端部近傍及び後端近傍に係合受け部材を有し、前記係合部を前記係合受け部材に挿入係合させて前記天板が前記背板、前記左右の側板の上端に固定されることを特徴とする請求項１乃至請求項３の何れかに記載した組立式収納庫。
【発明の詳細な説明】
【技術分野】
【０００１】
本発明は、組立式キャビネットや組立式物置など、組立て及び分解が容易な組立式収納庫に関する。
【背景技術】
【０００２】
今日、天板、底板、左右の側板及び背板により筐体を構成し、保管及び移送時は分解された複数枚の板状体とし、現場で組立を行う収納庫が種々提供されている。
【０００３】
そして、使用前の保管及び移送に際しては、小さな容積であって、移送保管を容易とし、且つ、組立に際しても簡単な手順で行うことができるようにするため、筐体を、天板、底板、右側板、左側板、及び、背板の５枚の板状体で構成するものとし、各板の接合部において、一方に差込み片を、他方にはこの差込み片が嵌合される係合溝を設けるもの（例えば特許文献１）が提案されている。
【０００４】
また、広い組立作業スペースを要することなく５枚の板の組立てを行うようにするため、背板と側板との接合に際し、一方に２つのフックを設け、他方にフックを受ける係止孔を設け、フックを係止孔に係合させたとき、背板と側板との接合部同士を面接触させることにより、背板に対して側板を背板の端部で約９０度の角度に固定した状態を維持可能とし、背板等を自立させることができるようにするもの（例えば特許文献２）も提案されている。
【０００５】
また、組立を極めて容易とするために、背板の上縁部に天板を蝶着し、背板の両側縁部に各々側板を蝶着するものも提案されている（例えば特許文献３）。
【先行技術文献】
【特許文献】
【０００６】
【特許文献１】特開２００５―０４６２２１号公報
【特許文献２】特開２０１２―２３１８４１号公報
【特許文献３】特開平０５―０３１００９号公報
【発明の概要】
【発明が解決しようとする課題】
【０００７】
５枚の板を現場で組立てる収納庫では、組立を行うに際し、フックや突起を孔や溝に差し込むとき、最初の結合に際して板を立てた状態に保ちつつ結合させる板の位置を合わさなければならず、一人で作業を行うことが困難な場合が多かった。
【０００８】
そして、最初の結合後、２枚の板の結合部は、２枚の板を所定の位置関係としておくための結合固定力が小さく、２枚の板の角度が変化し、接合部分を損傷する場合や筐体の破損又は組立不良を生じさせることもあった。
【０００９】
また、一組とされた５枚の板を組立てるには、各板の向き及び板相互の組位置の判別に際し、混乱を生じることもあった。
【００１０】
そして、天板及び左右の側板を蝶番により背板に固定するものでは、板の厚みを考慮して天板及び両側板などへの蝶番取付けを行わなければならず、筐体の構造や製造方法が制限される場合があった。
【００１１】
本発明に係る組立式収納庫は、このような欠点を排除し、製造、保管、移送に便利であって、組立が容易な収納庫を提供するものである。
【課題を解決するための手段】
【００１２】
本発明に係る組立式収納庫は、板状の天板、底板、背板、右側板、左側板を有し、前記右側板及び左側板が各々ヒンジにより前記背板の右端縁、左端縁に取り付けられ、前記底板は、前記右側板と前記左側板との間に挟まれて前記右側板と前記左側板に対してフック部により固定されることを特徴とする。
【００１３】
また、前記ヒンジにより前記背板に結合された前記左右の側板は、前記背板に対して回動する際の可動中心が、前記左右の側板の後端内側隅角であって前記背板の前面における側方端部近傍位置又はその直近位置か、前記左右の側板の後端近傍内側面であって前記背板の側方端部前方隅角位置又はその直近位置とするものである。
【００１４】
そして、前記フック部は、前記底板の左右両端面において当該底板の前端近傍から外方に突出し、当該底板を前記背板と前記右側板及び前記左側板の下端位置に降下させることにより、フック部が前記左右の側板と係合するものである。
【００１５】
更に、前記背板及び前記左右の側板は、夫々の上端面から僅かに突出する係合部を有し、天板は左右の端部近傍及び後端近傍に係合受け部材を有し、前記係合部を前記係合受け部材に挿入係合させて前記天板が前記背板、前記左右の側板の上端に固定されるものである。
【発明の効果】
【００１６】
本発明に係る組立式収納庫は、右側板及び左側板が各々ヒンジにより背板に取り付けられているため、ヒンジを中心に左右の側板を開くのみでコ字形状として背板及び左右の側板を所定の組立て形状とし、底板を左右の側板の間に挿入して側板の下端にフック部を係合させるのみで底板の取付けも極めて容易に行うことができる。
【００１７】
また、ヒンジにより左右の側板を背板に固定するに際し、ヒンジによる側板の回動中心を、左右の側板の後端内側隅角であって背板の前面における側方端部近傍位置、又は、左右の側板の後端近傍内側面であって背板の側方端部前方隅角位置としているため、保管や移送に際して側板を背板に重ねるとき、側板を背板の前面に接するように折り畳んで厚みを厚くすることが無く、組立状態に側板を開いたとき、側板の後端面を背板の前面に接触させ、又は、背板の両端面を側板の内側面に接触させるようにして、背板に対して側板を約９０度の位置に開くことが極めて容易に行えるものである。
【００１８】
そして、左右の側板の間に位置させる底板の両端からフック部を突出させて上方から底板を降下させてフック部を側板に係合させるものであるから、フック部を含む側板の左右長さが天板の左右長さと略同一とされ、保管や移送の際の梱包に際して長さをそろえて容易に梱包することができ、組立に際しては左右に開いた左右の側板の間に底板を挿入して側板の下端位置に下すのみで極めて容易に組立を行うことができる。
【００１９】
更に、背板及び左右の側板の上端面から僅かに突出する係合部を設け、天板にこの係合部と係合する係合受け部材を設けているため、天板を背板及び左右の側板の上に載せて押し下げることにより、上方に突出した係合部を係合受け部材と係合させて天板の固定を行うことができ、収納庫の組立てを極めて容易に行うことができる。
【図面の簡単な説明】
【００２０】
【図１】本発明に係る組立式収納庫の実施形態を示す外観斜視図。
【図２】本発明に係る組立式収納庫の実施形態における分解状態を示す図。
【図３】本発明に係る組立式収納庫の実施形態における組立途中の状態を示す図。
【図４】本発明に係る組立式収納庫の実施形態におけるヒンジ固定部を示す図。
【図５】本発明に係る組立式収納庫に用いるヒンジを示す図。
【図６】本発明に係る組立式収納庫の実施形態における側板下方の要部を示す図。
【図７】本発明に係る組立式収納庫の実施形態における底板の要部を示す図。
【図８】本発明に係る組立式収納庫の実施形態における側板と底板との結合状態を示す図。
【図９】本発明に係る組立式収納庫の実施形態における側板と底板との結合状態を示す図。
【図１０】本発明に係る組立式収納庫の実施形態における側板上方の要部を示す図。
【図１１】本発明に係る組立式収納庫の実施形態における天板の要部を示す図。
【図１２】本発明に係る組立式収納庫の実施形態における側板と天板との結合状態を示す図。
【発明を実施するための形態】
【００２１】
本発明に係る組立式の収納庫の実施の形態は、図１に示すように、天板110、底板210、右側板150、左側板160、及び、背板140とする５枚の板状体により構成するものである。
【００２２】
以下、各部の左右方向は、組立てられた収納庫100の正面（開口部側）から見た左右とし、背板140の方向を後方とし、開口部側を前方とし、天板110側を上、底板210側を下として説明する。
【００２３】
この、底板210は、右側板150と左側板160との間に挟まれて背板140の前面に接して背板140の前方に配置され、天板110は、背板140及び右側板150と左側板160の上に載置されるものである。
【００２４】
また、この天板110は、図２に示すように、矩形とされる板状の天面板111の周囲に沿って直線状に形成される天面前枠部113、左右の天面側枠部117、天面後枠部115の各枠部を有し、この枠部の内、左右の天面側枠部117と天面後枠部115とに各々２個ずつの係合受け部材120を有するものである。
【００２５】
尚、係合受け部材120は、左右の天面側枠部117及び天面後枠部115に各々少なくとも１個を設け、後述する係合突出部材190を左右の側板150,160及び背板140の上端に各１個を少なくとも設けることにより、右側板150や左側板160及び背板140の上端を、天板110の左右端部を形成する左右の天面側枠部117及び天板110後端を形成する天面後枠部115に係合させれば足りるものである。
【００２６】
そして、天板110の周囲に形成する各枠部は、天面板111の周囲で天面板111とされる金属板を矩形に折り曲げて外壁や対面壁、更に内壁を形成し、枠部の外壁を天板110の端面とすると共に対面壁を天面板111と平行として内部に空間を設けるようにし、少なくとも外壁、又は外壁と対面壁を設けて天板110に厚みを設け、板状の天面板111を補強するものである。
【００２７】
そして、背板140や左右の側板150,160及び底板210にも同様に周囲に沿って枠部を形成し、枠部の外壁により各板状体の端面を形成し、更に、適宜に各板状体の本体板と平行な対面壁や、対面壁の内側から更に折り曲げる内壁を設けるようにして、板状体に厚みを形成して部材の補強を行っている。
【００２８】
この枠部を備える底板210も、底面板211の周囲に沿って直線状に形成される底面前枠部213、左右の底面側枠部217、底面後枠部215を有し、図２に示したように、左右の底面側枠部217の外壁から外方に突出するフック部247を有すると共に、突起部233の先端を右側の底面側枠部217の外壁から僅かに突出させたラッチ部材230を備えるものである。
【００２９】
尚、底板210の左側の底面側枠部217からも、右側の底面側枠部217同様にラッチ部材230の突起部233の先端を突出させているものである。
【００３０】
更に、この底板210は、底面前枠部213に沿って底面前枠部213の近傍に補助前枠部221を、底面後枠部215に沿って底面後枠部215の近傍に補助後枠部223を有するものとしている。
【００３１】
そして、この補助枠部は、金属板をコ字形状の棒状体として開口端を両側に広げる鍔部を備えたものであり、鍔部により底面板211に固定されて底面板211を補強するものである。
【００３２】
また、底板210の底面後枠部215は、左右の底面側枠部217や底面前枠部213よりも枠部の上下の厚みを薄くし、後述する背板140の背面下枠部145の上に底板210の後端を重ねるように、底面後枠部215を背面下枠部145に載置することができるようにしているものである。
【００３３】
そして、右側板150及び左側板160は各々ヒンジ180により背板140の左右端部近傍に取り付けられるものであって、図２に示したように、右側板150の前端と左側板160の前端とを近接させて背板140に重ねるように折り畳み可能とされるものである。
【００３４】
そして、この右側板150及び左側板160と背板140は、夫々その上端面から係合部193を突出させる係合突出部材190を２個ずつ備えるものである。尚、係合突出部材190は、前述の様に、右側板150及び左側板160と背板140に各１個ずつとすることもある。
【００３５】
従って、この収納庫100は、図３に示すように、右側板150及び左側板160をヒンジ180により背板140から９０度に開き、底板210の左右に突出するフック部247を右側板150及び左側板160のフック受穴171に係合させるようにして右側板150と左側板160との間に挿入することにより、右側板150及び左側板160を背板140に対して９０度の角度で安定させることができる。
【００３６】
そして、背板140に対して９０度の角度に固定した右側板150及び左側板160と背板140とに対して上方から天板110の位置を合わせるようにして、背板140及び右側板150、左側板160に設けた係合突出部材190と天板110に設けた係合受け部材120とを係合させることにより、図１に示したような収納庫100の筐体とすることができる。
【００３７】
また、左側板160は、図３に示したように、左側面板161の周囲に沿って直線状に形成される側面前枠部167、側面上枠部163、側面後枠部169、側面下枠部165の各枠部を有するものであり、右側板150も、右側面板151の内側の周囲に沿って側面上枠部153、側面前枠部157、及び、図示されない側面下枠部、図２に示された側面後枠部159の各枠部を有するものである。
【００３８】
そして、背板140も、背面板141の周囲に沿って直線状に形成される背面上枠部143、背面下枠部145、及び図２に示した左右の背面側枠部147を有するものである。
【００３９】
この背板140と右側板150や左側板160とを接続するヒンジ180は、図４及び図５に示すように、背板140にヒンジ180を固定する棒状の立方体形状とした第１固定部181と、右側板150や左側板160にヒンジ180を固定する棒状の立方体形状とした第２固定部183とを有し、第１固定部181の端部近傍側方に第１結合部185を突出させ、第２固定部183の端部からは第２結合部187を突出させて第１結合部185及び第２結合部187をヒンジピン189により回転可能に結合しているものである。
【００４０】
そして、第１固定部181は、図４に示すように背板140の背面上枠部143の端部に収納するようにしてビス201により背板140に固定し、図示しない背面上枠部143の右側端部にも同様に対称形状のヒンジ180を固定するものであり、更に、背面下枠部145の左右端部にも同様にヒンジ180を固定するものである。
【００４１】
また、第２固定部183は、左側板160の側面上枠部163の端部に収納するようにしてビス201により左側板160に固定するものであり、このとき、ヒンジピン189の位置が側面上枠部163の内側後方隅角に位置するように、且つ、背板140の端部近傍であって背面上枠部143の前面近くに位置するように、ヒンジ180が左側板160や背板140に固定されるものである。
【００４２】
同様に、左側板160の側面下枠部165の奥に取り付けられるヒンジ180も、ヒンジピン189の位置を側面下枠部165の内側後方隅角に位置し、且つ、背板140の端部近傍であって背面下枠部145の前面近くに、背板140の右端上下に取り付けるヒンジ180もヒンジピン189の位置を背面上枠部143や背面下枠部145の前面にして右側板150の側面上枠部163や側面下枠部の内側後方隅角に位置させるものである。
【００４３】
尚、ヒンジピン189は、このピンの中心軸を、側面上枠部163や側面下枠部165の内側後方隅角位置であり、且つ、背面上枠部143や背面下枠部145の前面位置に位置させるものであるも、背板140や右側板150及び左側板160の成型誤差が生じても右側板150や左側板160を背板140に対する回転を容易且つ確保するため、ヒンジピン189の位置は、左右の側板150,160の後端内側隅角であって背板140の前面における側方端部近傍位置の直近位置とし、右側板150や左側板160の回動に際して多少の余裕を持たせるものであり、実質的に右側板150や左側板160の内側後方隅角位置に位置させるものである。
【００４４】
このように、右側板150や左側板160の枠部における内側後方隅角であって背板140の枠部の前面近傍にヒンジピン189を位置させるため、右側板150及び左側板160は、図２に示したように背板140と重ねるように折り畳んだとき、右側板150及び左側板160と背板140との間に間隙を殆んど生じさせないようにして折り畳むことができる。
【００４５】
従って、図２に示したように右側板150及び左側板160を背板140に重ねた保管や移送の時は、背板140と左右側板150を重ねた際の厚みを厚くすることがない。また、天板110の横長さは背板140の横長さと等しく、両端にフックを突出させる底板210は背板140の横長さよりも短く、フック部247を含む長さも背板140や天板110の横長さよりも僅かに短い略同一長さとされるものである。
【００４６】
そして、フック以外で板状体の端縁から突出する板状体相互の結合部材は、背板140や右側板150及び左側板160の上端から僅かに突出する係合突出部材190の係合部193のみである。このため、天板110、底板210、背板140、右側板150、左側板160を重ねて保管するに際し、厚さを増す方向に突出する突起が無く、各板状体を重ねた厚さとすることができ、全体を小さくまとめて保管や移送を行うことができる。
【００４７】
また、図３に示したように、右側板150や左側板160を開いたとき、右側板150や左側板160の外面となる右側面板151や左側面板161の後端縁が背板140の背面側枠部147の外表面前端に接するようにして、右側板150や左側板160が９０度余り以上に開くことが阻止される。
【００４８】
尚、ヒンジピン189の位置を背板140における背面上枠部143や背面下枠部145の端部前隅角近くであって、右側板150や左側板160の側面上枠部153,163や側面下枠部155,165の内側面端部近傍とし、左右の側板150,160の間に背板140を挟むようにし、背板140の背面側枠部147の外壁を右側板150の内面（側面後枠部の対面壁）や 左側板160の内面（側面後枠部159の対面壁）に当接させることもある。
【００４９】
このように、現場での組立てに際しては、左右の側板150,160を最大限に開くだけで右側板150及び左側板160を背板140に対して略９０度の角度することができ、コの字形状とされた背板140と右側板150及び左側板160とにより、背板140及び左右の側板150,160を立てることができる。
【００５０】
また、底板210を取り付けるに際しては、コの字形状として立てた３枚の板の右側板150と左側板160との間に底板210を挿入し、底板210の奥を背板140に合わせるようにして中間高さ位置から側面下枠部165や背面下枠部145の位置に底板210を下すのみで、底板210を所定位置に固定することができる。
【００５１】
即ち、左側板160の側面下枠部165の前端近くには、図６に示すようにフック受穴171やラッチ受穴173が設けられ、左側板160の側面下枠部165の後端近傍にも、図３に示したようにラッチ受穴173が設けられるものであり、図示されない右側板150の側面下枠部の内側にも、１個のフック受穴171と２個のラッチ受穴173が左側板160と対称に右側板150にも設けられるものである。
【００５２】
そして、底板210の底面側枠部217には図７に示すように、底板210の底面側枠部217に設けられるフック部材240のフック部247やラッチ部材230の突起部233が外方に突出しており、突出したフック部247をフック受穴171に挿入することにより、底板210が側板150,160に取り付けられるものである。
【００５３】
このフック受穴171は、図６に示したように左側板160の側面下枠部165における内側上方角部において、側面下枠部165の上面となる内壁の一部から側面下枠部165の内側面となる対向壁の一部に亙って矩形に切り欠くように開口されるものである。
【００５４】
尚、図示されない右側板150の側面下枠部165にも対向する位置にフック受穴171が設けられるものである。
【００５５】
また、ラッチ受穴173は、側面下枠部165の対向壁に矩形形状に開口させるものであって、左側板160の側面下枠部165に２カ所形成されると共に、左側板160と対向する右側板150の側面下枠部の２カ所にも形成されるものである。
【００５６】
そして、フック受穴171に挿入されるフックは、図７及び図８に示すように、底板210の側方端部において、底板210の上面となる底面板211から外方に突出して下方に垂下するフック部247を有するものであり、このフック部247を有するフック部材240は、厚肉棒状の取付け部241を有し、取付け部241の端部から斜め上方に延びる首部245を、首部245から水平に伸びた後に下方に延びるフック部247を有すると共に、取付け部241の下面から僅かに膨出する突出部243を有するものである。
【００５７】
そして、この突出部243を底板210の補助前枠部221の下面に設けた穴に嵌入し、ビス249により補助前枠部221に取付け部241を固定するものであって、フック部247は、フック部247の上端面を底板210の底面板211と同一高さとして底板210の側方に突出し、底板210の底面側枠部217の外壁外面との間に僅かな間隙を有して補助前枠部221の下面と略同一高さまで下方に延びる形状とされるものである。
【００５８】
尚、このフック部材240は、底板210の補助前枠部221に首部245及び取付け部241が収納されるようにして底板210の左右に設けられるものである。
【００５９】
また、ラッチ部材230は、図９に示すように、底板210の左右両端に沿って配置された底面側枠部217に収納されるものであって、側突起部233を備えた基部231と、板状の背部237と、基部231を背部237の方向に平行移動可能とする折り返し部235とを有し、背部237の前後両端から底板210の端部方向に延びる板状の側壁部239を更に有し、側壁部239の上下両端縁を底面板211と底面側枠部217の対向面とにより挟持するようにして底面側枠部217に組み込み固定されるものである。
【００６０】
そして、底面側枠部217の外壁内側に押し付けられるように配置される板状の基部231と、基部231と所要の間隔をもって略平行に配置される板状の背部237と、この基部231と背部237とを接続する屈曲形状の折り返し部235とを有し、基部231の外側表面に形成した突起部233を底板210の側方端面（底面側枠部217の外壁）に設けたラッチ穴225から突出させるものである。
【００６１】
この突起部233は、上面を略水平とし、下面を傾斜面として水平方向を軸方向とした三角柱形状とされるものである。
【００６２】
また、折り返し部235は、基部231や背部237よりも薄肉の帯状体を折り返した屈曲形状とされ、基部231と背部237との間隙を狭めるように弾性変形が可能に形成されるものである。
【００６３】
従って、フック部247をフック受穴171に挿入するように底板210の側面を左右の側板150,160の側面下枠部165の内側面に接触させて底板210を降下させるとき、突起部233の下方に形成した傾斜面が側面下枠部165の内面に接して突起部233及び基部231が背部237側に押し込まれ、底板210を右側板150や左側板160の内側で側面下枠部165に沿って降下させることができる。
【００６４】
そして、底板210を所定位置まで降下させると、底板210の底面後枠部215が背板140の背面下枠部145の上に載置され、突起部233がラッチ受穴173の位置に位置し、図９に示したように、突起部233の先端がラッチ受穴173に挿入され、上面が水平面とされた突起部233がラッチ受穴173に挿入されることにより、底板210が左側板160の側面下枠部165や右側板150の側面下枠部の位置から上方に外れることが阻止される。
【００６５】
また、フック部247がフック受穴171に挿入されることにより、フック部247の水平部分がフック受穴171を形成する側面下枠部165内壁の上端に接して底板210が側面下枠部165よりも下方に外れることを阻止し、フック部247の垂下部分と底面側枠部217の外壁外面との間に側面下枠部165の対向壁を挟み込み、後端がヒンジ180により背板140に固定されている右側板150や左側板160の前端が背板140に対して９０度以上に開くことを阻止する。
【００６６】
そして、左右の側板150,160の間に底板210を挿入しているため、背板140に対して９０度以内となるように左右の側板150,160の前端が内側に移動することも阻止されている。
【００６７】
また、底板210は奥側の底面後枠部215が背板140の背面下枠部145の上に載置され、底板210の前側はフック部247が右側板150や左側板160の側面下枠部に設けたフック受穴171に上方から挿入され、底板210が背板140や左右の側板150,160の下端よりも下方に、言い換えると背板140や左右の側板150,160が底板210から上方に外れることが阻止されることになる。
【００６８】
尚、底板21の奥側左右に両端に、底面板211の左右端から突出する板状の突出板を形成し、この突出板を右側板150や左側板160の側面下枠部の上に載置することとし、底板21が左右の側板150,160の下端よりも下方に抜けないようにすることもある。
【００６９】
このようにヒンジ180によって背板140に固定された右側板150及び左側板160を組立現場で開き、右側板150と左側板160との間に底板210を挿入して底板210を右側板150や左側板160の下端位置まで降下させることにより、フック部247をフック受穴171に係合させるようにして底板210を左右の側板150,160に固定すると共に、ヒンジ180によって背板140に取り付けられた左右の側板150,160を所定位置に固定することができる。
【００７０】
尚、ラッチ穴225の直近における底面板211の端部には、幅の狭い矩形形状とした治具穴227を有し、この治具穴227から先端を細くしてドライバー形状とした板状の治具を挿入し、ラッチ部材230の基部231と底面側枠部217の外壁との間に治具の先端を差し込み、基部231を背部237方向に移動させ、突起部233を後退させて底板210を持ち上げ、底板210を側板から分離させることができるようにしている。
【００７１】
そして、この左右の側板150,160及び背板140の上端には、図２及び図３に示したように、側面上枠部153,163や背面上枠部143から係合部193を突出させる係合突出部材190を固定しているものである。
【００７２】
この係合突出部材190は、図１０に示すように、上端である先端部195を稜線状とした厚肉板状の係合部193を左右の側板150,160や背板140の上面から突出させ、この厚肉板状の係合部193の内側面には窪み部197を設けているものである。
【００７３】
また、天板110の左右両端部に沿って設けた左右の各天面側枠部117、及び、天板110の後端に沿って設けた天面後枠部115には、図２に示したように各枠部に２個ずつの係合受け部材120を固定しているものである。
【００７４】
この係合受け部材120は、図１１に示すように、天板110の天面側枠部117に組み込む場合、天面板111の内側下面に接する平板状四辺形の枠上部123、この枠上部123の両端から垂下する平板状四辺形とされた左右の枠側部125、天面側枠部117の外壁内面と略平行とされて左右が枠側部125と接続されて枠上部123から垂下する平板状四辺形の枠奥部127で構成した本体枠121と、枠奥部127と対向して枠上部123の端部から垂下する平板状四辺形とされる垂下部131とにより下方を開口した箱形状とされるものである。
【００７５】
そして、垂下部131は下端内側に突出する係合突起133を有し（図１２参照）、下端近傍の外方面から突出する板状の突出板135を有し、垂下部131は上端が枠上部123と接続されるのみであるも、枠奥部127や枠側部125は枠上部123と接続されると共に相互に接続されて箱体とされるものであり、本体枠121を天面側枠部117の受け部材取付部119に組み込み、固定するものである。
【００７６】
そして、図１２に示すように、左側板160の側面上枠部163の中に箱形状とされる本体部191が収納固定され、本体部191の上面に設けられて側面上枠部163の上壁から突出する係合部193を係合受け部材120の内側に差し込んだとき、係合受け部材120の垂下部131の下端に設けた係合突起133が係合突出部材190の係合部193に設けた窪み部197に係合し、天板110を左側板160の上端に固定することができるものである。
【００７７】
尚、天板110の右端部に形成された天面側枠部117や天板110の後方端部に形成された天面後枠部115に設けた係合受け部材120と、右側板150や背板140に設けた係合突出部材190と、が係合し、天板110は左側板160と同様に右側板150や背板140の上端にも固定されるものである。
【００７８】
また、この係合受け部材120は、垂下部131の下端近傍から突出する突出板135を有しており、この突出板135を上方に押し上げると、垂下部131は枠上部123に固定された上端を起点として天板110の内側に湾曲し、垂下部131の下端を天板110の内側に移動させて係合突起133を窪み部197から外し、天板110を右側板150や左側板160、背板140から分離させることができるものである。
【００７９】
このように、左右の側板150,160をヒンジ180により背板140に固定した収納庫100は、左右の側板150,160を背板140に重ねるように折り畳んで厚さを薄くして保管及び移送を容易とし、現場での組立てに際しては背板140に対して左側板160及び右側板150を開いてコ字形状として背板140や側板150,160を立てることができる。
【００８０】
そして、左右の側板150,160の間に底板210を挿入して底板210の両端に突出するフック部247を左右の側板150,160のフック受穴171に挿入するように底板210を上方から降下させるのみで、底板210を左右の側板150,160及び背板140に固定することができる。
【００８１】
更に、コ字形状に固定された背板140及び左右の側板150,160の上方に天板110を載置して下方に押圧すれば、係合突出部材190の突出部243が係合受け部材120に挿入固定されて天板110を背板140や側板に固定することができる。
【００８２】
また、左右の側板150,160は背板140に対してヒンジ180により固定されており、この背板140と独立する板は天板110及び底板210のみであり、底板210は天板110よりも左右幅が小さく、且つ、左右両端からフックが突出しているため、天板110と底板210の区別が明瞭であり、独立する部品点数が少なく天板110と底板210を明瞭に識別できるため、組立を極めて簡単に行うことができる。
【００８３】
そして、底板210から突出するフック部247は、左右の側板150,160の側面下枠部に収納されるように係合するものであるから、両側のフック部247先端間の距離長さは、収納庫100の左右の側板150,160の外表面となる右側面板151と左側面板161との距離よりも小さい距離長さであり、背板140及び左右の側板150,160の上端に乗せる天板110は、右側面板151と左側面板161との距離即ち背板140の横長さと同一の横長さであるため、保管及び移送時に背板140と分離されている天板110及び底板210は、背板140と同一又は略同一の横長さとして長さを揃えることができるものである。
【産業上の利用可能性】
【００８４】
本発明に係る組立式収納庫は、容積を大きくすることなく分解折り畳みが可能であって、保管や移送に便利であり、左右の側板をヒンジにより背板に取り付けているため、組立に際して左右の側板を開き、底板及び天板を上方から降下させるのみで極めて容易に組立てることができるものである。
【符号の説明】
【００８５】
１００  収納庫
１１０  天板
１１１  天面板                          １１３  天面前枠部
１１５  天面後枠部                      １１７  天面側枠部
１１９  受け部材取付部
１２０  係合受け部材
１２１  本体枠                          １２３  枠上部
１２５  枠側部                          １２７  枠奥部
１３１  垂下部                          １３３  係合突起
１３５  突出板
１４０  背板
１４１  背面板                          １４３  背面上枠部
１４５  背面下枠部                      １４７  背面側枠部
１５０  右側板
１５１  右側面板                        １５３  右側面上枠部
１５７  右側面前枠部                    １５９  側面後枠部
１６０  左側板
１６１  左側面板                        １６３  側面上枠部
１６５  側面下枠部                      １６７  側面前枠部
１６９  側面後枠部
１７１  フック受穴                      １７３  ラッチ受穴
１７７  棚受けレール
１８０  ヒンジ
１８１  第１固定部                      １８３  第２固定部
１８５  第１結合部                      １８７  第２結合部
１８９  ヒンジピン                      ２０１  ビス
１９０  係合突出部材
１９１  本体部                          １９３  係合部
１９５  先端部                          １９７  窪み部
２１０  底板
２１１  底面板                          ２１３  底面前枠部
２１５  底面後枠部                      ２１７  底面側枠部
２２１  補助前枠部                      ２２３  補助後枠部
２２５  ラッチ穴                        ２２７  治具穴
２３０  ラッチ部材
２３１  基部                            ２３３  突起部
２３５  折り返し部                      ２３７  背部
２３９  側壁部
２４０  フック部材
２４１  本体部                          ２４３  突出部
２４５  首部                            ２４７  フック部
２４９  ビス
【図１】
2016007465.tif 000003
【図２】
2016007465.tif 000004
【図３】
2016007465.tif 000005
【図４】
2016007465.tif 000006
【図５】
2016007465.tif 000007
【図６】
2016007465.tif 000008
【図７】
2016007465.tif 000009
【図８】
2016007465.tif 000010
【図９】
2016007465.tif 000011
【図１０】
2016007465.tif 000012
【図１１】
2016007465.tif 000013
【図１２】
2016007465.tif 000014